(57)【要約】  本発明は、ユーザを移動させるように設計された三輪車に関する。三輪車は人を運ぶために、より人間工学的に優れ、かつより簡単に操作できるものである。三輪車（１）は、前輪（２）、２つの後輪（３）、車輪（２，３）に接続し、３つの車輪（２，３）の支持平面に対して実質的に不動であるリア部（４ａ）と三輪車（１）の実質的に長手方向にある傾斜軸（１９）を中心にして、実質的に不動のリア部（４ａ）に対して横方向に回動可能なフロント部（４ａ）を有するフレーム（４）、回動部（４ｂ）に配置されたフットレスト（５）、及び実質的に不動の部分（４ａ）に配置された坐骨サポート（６）、を備える。
2016513597.tif 000002
【特許請求の範囲】
【請求項１】
人を運ぶための三輪車（１）であって、
三輪車（１）の長手方向軸に実質的に配置された前輪（２）、
三輪車（１）の長手方向軸に対して両側に、横方向に配置された２つの後輪（３）、
車輪（２，３）に接続するフレームであって、三輪車（１）の長手方向に実質的に位置する傾斜軸（１９）を中心にして横方向に回動可能な回動部（４ｂ）を有するフレーム（４）、
フレーム（４）の一部であるか、又はフレーム（４）に取り付けられたフットレスト（５）、
フレーム（４）の一部であるか、又はフレーム（４）に取り付けられた第２ユーザサポート（６）、
を備え、
フレーム（４）は、３つの車輪（２，３）の支持平面に対して実質的に不動の部分（４ａ）を有し、
フレーム（４）の回動部（４ｂ）は、実質的に不動の部分（４ａ）に対して回動可能であり、三輪車（１）のフロントに配置され、前輪（２）に接続する一方、三輪車（１）のフットレスト（５）を備え、
フロント（４）の実質的に不動の部分（４ａ）は、三輪車（１）のリアに配置され、後輪（３）に接続する一方、坐骨サポート（６）として設計された三輪車（１）の第２サポート（６）を備える、
三輪車（１）。
【請求項２】
傾斜軸（１９）は、三輪車（１）の長手方向軸を含み、且つ、３つの車輪（２，３）の支持平面に実質的に垂直である平面に配置されており、この軸（１９）は、３つの車輪（２，３）の支持平面に対して１°〜１０°傾斜しており、その傾斜は三輪車（１）に負荷が加わったときに変化する、請求項１に記載の三輪車（１）。
【請求項３】
傾斜軸は、３つの車輪（２，３）の支持平面に対して約６°傾斜している、請求項２に記載の三輪車（１）。
【請求項４】
傾斜軸（１９）を中心にして回動する回動部（４ｂ）の最大傾斜（α）は、約１５°である、請求項１〜３のいずれか一項に記載の三輪車（１）。
【請求項５】
更に、
フレーム（４）の回動部（４ｂ）を初期位置に戻すため、回動部（４ｂ）をセンタリングする手段（７）、
を備える、請求項１〜４のいずれか一項に記載の三輪車（１）。
【請求項６】
回動部（４ｂ）をセンタリングする手段（７）は、シリンダー（７）を備える、請求項５に記載の三輪車（１）。
【請求項７】
シリンダー（７）の圧力は、調整可能である、請求項６に記載の三輪車（１）。
【請求項８】
ユーザの足を３つの車輪（２，３）の支持平面に対して傾けて置くことができるようにフットレスト（５）が配置されている、請求項１〜７のいずれか一項に記載の三輪車（１）。
【請求項９】
フットレスト（５）は、ユーザの足を置くための１つ又は複数のバー（５）の形態で設けられている、請求項８に記載の三輪車（１）。
【請求項１０】
坐骨サポート（６）は、三輪車の長手方向軸を有する面に実質的に配置されると共に３つの車輪（２，３）の支持平面に対して約６０°〜９０°傾斜している傾斜軸の周りを、フレーム（４）に関連して回動することができる、請求項１〜９のいずれか一項に記載の三輪車（１）。
【請求項１１】
傾斜軸の周りの坐骨サポート（６）の最大傾斜（β）は、約１５°である、請求項１０に記載の三輪車（１）。
【請求項１２】
更に、
坐骨サポート（６）を初期位置に戻すため、坐骨サポート（６）をセンタリングする手段（８）を備える、請求項１０または１１に記載の三輪車（１）。
【請求項１３】
坐骨サポート（６）をセンタリングする手段（８）は、トーションばね（８）を備える、請求項１２に記載の三輪車（１）。
【請求項１４】
坐骨サポート（６）は、高さ方向に調整可能にフレーム（４）に取り付けられた、請求項１〜１３のいずれか一項に記載の三輪車（１）。
【請求項１５】
更に、
ユーザを横方向にサポートするために、坐骨サポート（６）の両側に、かつ坐骨サポート（６）の一部の上方に実質的に取り付けられた横方向サポート（９）を備える、
請求項１〜１４のいずれか一項に記載の三輪車（１）。
【請求項１６】
横方向サポート（９）は、坐骨サポート（６）に対して横方向に調整可能である、請求項１５に記載の三輪車（１）。
【請求項１７】
横方向サポート（９）は、三輪車（１）の長手方向軸に実質的に垂直であると共に３つの車輪（２，３）の支持平面に実質的に平行である傾斜軸を中心にして、坐骨サポート（６）に関連して回動可能である、請求項１５または１６に記載の三輪車（１）。
【発明の詳細な説明】
【技術分野】
【０００１】
本発明は、人を運ぶための三輪車であって、
三輪車の長手方向軸に実質的に配置された前輪、
三輪車の長手方向軸に対して両側に、横方向に配置された２つの後輪、
車輪に接続するフレームであって、三輪車の長手方向に実質的に位置する傾斜軸を中心にして回動可能な回動部を備えるフレーム、
フレームの一部であるか、又はフレーム上に取り付けられたフットレスト、
フレームの一部であるか、又はフレーム上に取り付けられた第２ユーザサポート、
を備える、三輪車に関する。
【０００２】
本発明に係る三輪車は、より具体的には、地面を足で押し出すこと、又はモータのいずれかを動力とする三輪車に関する。
【０００３】
三輪車の長手方向軸は、三輪車の従来の移動方向の軸である。三輪車の長手方向は、三輪車の従来の移動方向である。
【０００４】
三輪車は、前輪と、２つの後輪を備えているため、より良い安定性を確保している。
【背景技術】
【０００５】
フレームを有し、且つ、回動部を備える車両の先行技術において、カーブするときに、車両の軸を移動方向に応じて横方向に移動させてカーブしやすいように回動部を適合させる車両が提供されている。これらの車両においては、シートが回動部に取り付けられており、この部分の傾きを調整している。文献の国際公開第２００５／０７７６８３号では、具体的に、このタイプの三輪車を改良したものが述べられている。この三輪車においては、シートが回動部に取り付けられており、回動部は、ユーザによって加えられるシートへの横方向の力を検出する手段を有している。これらの検出手段は、回動部の傾斜手段と機能的な関係にある。傾斜手段は、前述の検出された力に応じて、回動部の傾きをアクティブに調整している。
【発明の概要】
【発明が解決しようとする課題】
【０００６】
そのようなシートを使用する制御システムは、人間工学的に理想的なものではない。
【０００７】
したがって、本発明の目的は、運転者にとって人間工学的に最適となる、回動部を有するフレームを備える三輪車の代替品を提供することである。
【課題を解決するための手段】
【０００８】
この目的は、人を運ぶための三輪車であって、
三輪車の長手方向軸に実質的に配置された前輪、
三輪車の長手方向軸に対して両側に、横方向に配置された２つの後輪、
それらの車輪に接続するフレームであって、三輪車の長手方向に実質的に位置する傾斜軸を中心にして横方向に回動する回動部を備えたフレーム、
フレームの一部であるか、又はフレーム上に取り付けられたフットレスト、
フレームの一部であるか、又はフレーム上に取り付けられた第２ユーザサポート、
を備え、
フレームは、３つの車輪の支持平面に対して実質的に不動の部分を有し、
フレームの回動部は、実質的に不動の部分に対して回動可能であり、三輪車のフロントに配置され、前輪に接続する一方、三輪車のフットレストを備え、
フレームの実質的に不動の部分は、三輪車のリアに配置され、後輪に接続する一方、坐骨サポートとして設計された三輪車の第２サポートを備える、
三輪車、を製造することによって達成することができる。
【０００９】
本発明によれば、座位における三輪車のシートを、運転者にとって人間工学的に最適な環境を提供する坐骨サポートに置き換えている。この坐骨サポートは、フレームの実質的に不動の部分に追加的に配置されており、フレームの回動部に配置されていない。したがって、回動部の傾きは、ユーザによって足で直接調整されるので、実質的に不動の部分に取り付けられたシートを使用して調整されていない。そのような調整は、より人間工学的に理想的な環境である。また、足を使った調整は、運転をより簡単なものにすることができると共に、より人間工学的に理想の環境になっている。システムは、何も介さずに直接作動するので、反応速度をより速くすることができる。そのような構成によれば、本発明に係る三輪車においては、先行技術の三輪車よりも操作がしやすくなっている。
【００１０】
本発明の三輪車は、ある実施形態において、より簡単に操作できるようになっている。その実施形形態とは、傾斜軸が、三輪車の長手方向軸を有する平面に配置されると共に３つの車輪の支持平面に実質的に垂直であり、この傾斜軸においては三輪車に負荷がかかったとき、３つの車輪の支持平面に対して傾斜が１°〜１０°に変化する。
【００１１】
傾斜軸は、好ましくは、３つの車輪の支持平面に対して約５°〜８°、より好ましくは、約６°傾斜している。
【００１２】
その傾斜軸の周りを回動する回動部の最大傾斜は、好ましくは、約１５°である。
【００１３】
好ましい実施形態によれば、三輪車は、フレームの回動部をその初期位置に戻すため、回動部をセンタリングする手段を備える。より具体的には、これらのセンタリング手段は、シリンダーを備えることができる。そのようなシリンダーの圧力は、好ましくは、調整可能であって、例えば、ユーザの体重又は好ましい感覚に基づいて調整することができる。
【００１４】
好ましくは、本発明に係る三輪車のフットレストは、ユーザの足が２つの車輪の支持平面に対し傾けて置くことができるように配置されている。そのように傾斜したユーザのポジションは、ユーザに人間工学的に理想的な姿勢を提供することができ、ユーザが長い時間真っ直ぐ立つことができるようになっている。
【００１５】
さらに好ましい実施形態によれば、フットレストは、人間の足を置くための１つ又は複数のバー（棒）の形状であってもよい。フットレストバーの使用は、システムに人間工学的に理想的な傾斜を提供する。フットレストバーは、好ましくは、丸棒である。
【００１６】
好ましい実施形態において、坐骨サポートは、傾斜軸を中心にしてフレームに対して回動可能である。その傾斜軸は、三輪車の長手方向軸を有する平面に実質的に配置されると共に３つの車輪の支持平面に対して約４５°〜９０°傾斜している。好ましくは、この場合、傾斜軸は、約６５°〜７０°傾斜している。
【００１７】
その傾斜軸を中心にして回動坐骨サポートの最大傾斜は、好ましくは、約１５°である。
【００１８】
そのように回動する坐骨サポートを有する本発明に係る三輪車の好ましい実施形態によれば、三輪車は、坐骨サポートをセンタリングするための手段を備え、坐骨サポートをその初期位置に戻すことができる。より具体的には、これらのセンタリング手段は、トーションばねを備えることができる。
【００１９】
実施形態におけるある変形例によれば、坐骨サポートが、高さ方向に調整可能な方法でフレームに取り付けられるため、ユーザの体型に基づいて高さを調整することができる。
【００２０】
本発明のある実施形態によれば、三輪車は、実質的に坐骨サポートの両側に、一部が坐骨サポートの上方に取り付けられた横方向サポートを備え、ユーザの横方向のサポートをしている。好ましくは、そのような横方向サポートは、坐骨サポートに対して横方向に調整可能であり、臀部サポートの幅を調整することができる。さらに、そのような横方向サポートは、好ましくは、坐骨サポートに関連して、傾斜軸を中心にして回動することができる。その傾斜軸は、三輪車の長手方向軸に実質的に垂直であり、３つの車輪の支持平面に実質的に平行である。そのため、横方向サポートを下げることによって、ユーザがより簡単に三輪車を乗り降りすることができる。
【００２１】
以下の記載では、本発明に係るいくつかの好ましい三輪車の実施形態を用いることによって、本発明がより詳細に説明されている。この記載の目的は、専ら本発明の例示を与えることであり、本発明に係るこれらの三輪車の更なる利点及び詳細を示すことであって、本発明の適用範囲又は特許請求の範囲で求める特許権の範囲を制限するものと解釈されるものではない。
【００２２】
この詳細な説明には、添付の図面を参照するために、符号が使用されている。
【図面の簡単な説明】
【００２３】
【図１】図１は、本発明に係る三輪車の実施形態の背面図である。
【図２】図２は、図１に示される三輪車の側面図である。
【図３】図３は、図１に示される三輪車の正面図であって、三輪車の２つの位置を示しており、三輪車の回動部が１５°の間で回動した図である。
【図４】図４は、実質的に不動の部分と三輪車のフレームの回動部との間の接続部分において、図１に示される三輪車の一部を後方から見た斜視図であって、三輪車の２つの位置を示しており、三輪車の回動部が１５°の間で回動した図である。
【図５】図５は、図１に示される三輪車の一部の正面斜視図であって、坐骨サポートにおける２つの位置を示しており、坐骨サポートが１５°の間で回動した図である。
【図６】図６は、図１に示される三輪車の一部の上面図であって、坐骨サポートにおける２つの位置を示しており、坐骨サポートが１５°の間で回動した図である。
【図７】図７は、図１に示される三輪車を正面から見た斜視図であって、三輪車の２つの位置を示しており、三輪車の回動部が１５°の間で回動すると共にハンドルバーが回動した図である。
【図８】図８は、図７のゾーンＡの詳細図である。
【図９】図９は、図１に示される三輪車の一部を正面から見た斜視図であって、坐骨サポートにおける２つの位置を示しており、坐骨サポートが上へ移動した図である。
【図１０】図１０は、腰背もたれ、横方向サポート及びシートサポートを有する坐骨サポートの正面図であって、横方向サポートの２つの位置を示しており、横方向サポート間の距離がセットされた図である。
【図１１】図１１は、腰背もたれ、横方向サポート及びシートサポートを有する坐骨サポートの側面図であって、坐骨サポートに対する横方向サポートの傾斜を変更した横方向サポートの３つの位置を示すと共に、シートサポートが後退したシートサポートの２つの位置を示す図である。
【発明を実施するための形態】
【００２４】
図１〜図３及び図７に示されるように、これらの図は、前輪（フロントホイール）（２）と、２つの後輪（リアホイール）（３）と、を備える三輪車（１）を示す。前輪（２）は、三輪車（１）の長手方向軸に実質的に配置されている。２つの後輪（３）は、三輪車（１）の長手方向軸に対して両側に、横方向に配置されており、三輪車（１）が、三輪車（１）の長手方向軸に対して実質的に対称になっている。
【００２５】
フレーム（４）（図２参照）は、車輪（ホイール）（２，３）を接続している。このフレーム（４）は、フロント部（４ｂ）とリア部（４ａ）とを備えている。フレーム（４）のフロント部（４ｂ）は、プラットフォーム（１４）と、ポスト（１３）と、を備え、ポスト（１３）に対して周知の方法で回動可能なハンドルバー（１７）と共に前輪（２）をシールしている。ポスト（１３）に対するハンドルバー（１７）の傾斜は、４０°程度に制限されている。ハンドルバー（１７）は、ポスト（１３）の一端に接続されている。ポスト（１３）の他端は、プラットフォーム（１４）の第１端に接続されている。プラットフォーム（１４）によって、運転者は、片方の足をプラットフォーム（１４）上に置き、もう片方の足で地面を蹴りだすことで三輪車（１）を進ませることができる。プラットフォーム（１４）は、例えば、足をより強固に支持するため、孔が空いた滑り止めシートを用いている。２つの側面においてプラットフォーム（１４）の前方に、フットレスト（５）として円筒状のバー（５）が取り付けられており、モータ（１２）によって三輪車が駆動される場合のサポートを提供している。フットレスト（５）が円筒状のバーの形状で作られていることによって、足の傾斜が人間工学的に最良の位置に自動的に配置されるようになっている。ローラー（２０）がプラットフォーム（１４）の下に取り付けられているため、プラットフォーム（１４）の隙間高さ以上の高さを有する障害物が簡単に通り抜けることができる。プラットフォーム（１４）は、３つの車輪（２，３）の支持平面に対してわずかに傾斜しており、その傾斜角度は５°〜１５°であり、それによって足をより良くサポートすることができる。プラットフォームの第２端は、三輪車（１）のリア部（４ａ）に接続されている。リア部（４ａ）は、アーケード（１５）と、後輪（３）を支持するアーチ（１６）と、を備える。アーケード（１５）の第１端は、プラットフォーム（１４）の第２端に接続されており、アーケード（１５）の第２端は、アーチ（１６）の中央に接続されている。ガントリー（１５）の上方に、横方向サポート（９）、腰背もたれ（１０）、及び後退可能なシートサポート（２３）を有する坐骨サポート（６）が取り付けられている。坐骨サポート（６）が取り付けられているアーケード（１５）の部分は、３つの車輪（２，３）の支持平面に対して約６６．５°傾斜している。この傾斜は、人間工学的に理想的な姿勢を考慮すると、ユーザが、自分自身の位置、即ちフットレスト（５）上の足の位置、及び坐骨サポート（９）に対する背中の位置を決めることができるようになっている。後輪（３）を支持しているアーチ（１６）は、アーチ（１６）の中央から後輪（３）へ横方向に延びる２つのアームを備えている。後輪（３）は、独立した回転軸（２１，２２）を有しており、それはユーザが人力によって自分自身を進ませるために必要とされる車輪（３）間にスペースを開放している。
【００２６】
フロント部（４ｂ）は、フロント部（４ｂ）が横方向に傾斜するように、ピボットを介してリア部（４ａ）に接続されている。リア部（４ａ）は、３つの車輪（２，３）の支持平面に対して実質的に不動である。したがって、図３及び図７に示すように、フロント部（４ｂ）がリア部（４ａ）に対して傾斜すると、リア部（４ａ）と後輪（３）は、このように回転しても動かない状態で維持される一方、フロント部（４ｂ）と前輪（２）は、３つの車輪（２）の支持平面に対して回動する。フロント部（４ｂ）の傾斜軸（１９）は、三輪車（１）の長手方向軸を含み、且つ、３つの車輪（２，３）の支持平面と実質的に垂直な平面に位置している。この軸（１９）は、３つの車輪（２，３）の支持平面に対して約６°傾斜しており、この傾斜は、三輪車（１）に負荷がかかった場合に傾斜を変更するようになっている。図３、図７及び図８は、回動部（４ｂ）の最大傾斜角度（α）が約１５°である例を示している。図１に示すように、フロント部（４ｂ）とリア部（４ａ）は、フロント部（４ｂ）のシャフト（１９）に固定して取り付けられた動力伝達プレート（１８）によって接続されている。動力伝達プレート（１８）のそれぞれの側には、シリンダー（７）がリア部（４ａ）のアーケード（１５）に固定されて設けられている。これらの要素を介して、フロント部（４ｂ）は、リア部に対して回動することができる。シリンダー（７）は、フロント部（４ｂ）のセンタリング手段としても使用されており、フロント部（４ｂ）を初期位置に自動的に戻している（再センタリングしている）。シリンダー（７）は調整可能であり、ユーザの体重、又はユーザの好みに応じて再センタリングする圧力を調整できるようになっている。
【００２７】
このような構成によって、ユーザは、自身の足を用いて回動部を調整することができる。
【００２８】
図９に示すように、三輪車（１）の坐骨サポート（６）は、アーケード（１５）からの高さを調整可能であり、高さは、ユーザの体型に応じて調整可能である。そのような調整を可能とするアタッチメント手段としては、すでに複数存在している従来技術のものも使用可能である。
【００２９】
坐骨サポート（６）は、更に、３つの車輪（２，３）の支持平面に対して約６６．５°傾斜した軸を中心にしてアーケード（１５）に対して横方向に、回動可能に取り付けられている。サポートが回動可能な傾斜軸は、図５〜図８に示されるように、アーケード（１５）の軸と同じである。これによって、ユーザは、坐骨サポート（６）を介して三輪車（１）の動きを把握（モニタ）することができる。その傾斜軸を中心にして回動する坐骨サポート（６）の最大傾斜（β）は、約１５°である。従来技術においては、このようなタイプの接続を行うための複数の解決策が知られている。
【００３０】
図６に示されるように、反対方向に作用する２つのばね（８）が、坐骨サポート（６）をセンタリングし、坐骨サポート（６）を初期位置に戻すことができる手段を構成している。
【００３１】
腰背もたれ（１０）は、ユーザの腰部を支持するために提供されており、坐骨サポート（６）の上方でそれに関連して取り付けられている。そのため、背もたれ（１０）は、坐骨サポート（６）のすべての動きに追従するようになっている（図５〜図８参照）。
【００３２】
２つの横方向サポート（９）は、骨盤でユーザの横方向の動きをサポートし、坐骨サポート（６）の両側に、坐骨サポート（６）に関連して実質的に取り付けられている。そのため、それらは、坐骨サポート（６）のすべての動きに追従するようになっている（図５〜図８参照）。
【００３３】
骨盤用の横方向サポート（９）は、図１０に示されるように、坐骨サポート（６）の幅に関連して調整可能であり、サポート（９）間の距離は、ユーザの骨盤の幅に応じて調整可能である。横方向サポート（９）は、三輪車（１）の長手方向軸に実質的に垂直であると共に３つの車輪（２，３）の支持平面に実質的に平行である傾斜軸を中心にして、坐骨サポート（６）に関連して回動することができる。そのため、ユーザが、より簡単に三輪車を乗り降りすることができるように下げることができる。図１１において、横方向サポート（９）の３つの位置が示されており、それぞれに示した位置間の傾斜は、１５°である。横方向サポート（９）を調整するために、多くのシステムを適用することができる。
【００３４】
図示された三輪車（１）は、更に、シートサポート（２３）を備えている。シートサポート（２３）は、乗り手に、脚の間のサポートを選ぶ機会を与えており、必ず横方向サポートを使用しなければならないというわけではない。このシートサポート（２３）は、格納可能であり、図１１に示すように、角度（δ）６０°下げることができる。
【００３５】
図示された三輪車（１）は、地面を足で蹴りだすか、又はモータ（１２）によって動力が供給される。モータ（１２）は、図２に示されるように、後輪の軸に取り付けられており、ユーザの動きを妨げないようになっている。モータ（１２）のバッテリー（１１）は、フロントフレーム（４）のポスト（１３）内部か、又はリアフレーム（４）のアーケード（１５）のベースのいずれかに取り付けられている。また、フレーム（４）上又は内部に取り付けられるか、又は１つの車輪（２，３）内に取り付けられたモータを有する三輪車を備えることも可能であるし、それぞれの車輪（２，３）の内部又は上にモータを取り付けることも可能である。
【図１】
2016513597.tif 000003
【図２】
2016513597.tif 000004
【図３】
2016513597.tif 000005
【図４】
2016513597.tif 000006
【図５】
2016513597.tif 000007
【図６】
2016513597.tif 000008
【図７】
2016513597.tif 000009
【図８】
2016513597.tif 000010
【図９】
2016513597.tif 000011
【図１０】
2016513597.tif 000012
【図１１】
2016513597.tif 000013
【国際調査報告】
2016513597.tif 000014
2016513597.tif 000015
2016513597.tif 000016